(57)【要約】【課題】透視可能な表示要素を有する着用物品の表示要素周辺における肌触りの柔軟性を向上させる。【解決手段】着用物品１が前後胴周り被覆域６，７の少なくとも一方に外側から視認可能な表示要素５２を有する。表示要素５２を有する被覆域は、第１複合シート２１とその内側に位置する第２複合シート２２とを含み、これら両複合シート２１，２２の間に表示要素５２が介在する。第１複合シート２１は第１中間層６６と第１外層６７と第１内層６８とを有し、第２複合シート２２は第２中間層７１と第２外層７２と第２内層７３とを有する。第１複合シート２１の各層は、胴周り方向に間欠的に形成されている接合部位において互いに接合し、第２複合シート２２の各層もまた、胴周り方向に間欠的に形成されている接合部位において互いに接合している。第１外層６７、第１内層６８、第２外層７２、第２内層７３は非弾性糸によって形成され、これら各層の非弾性糸が接合部位と接合部糸の間で胴周り方向へ伸展可能な曲線を画いている。【選択図】図３
2005253732.tif 000002
【特許請求の範囲】
【請求項１】
前胴周り被覆域と後胴周り被覆域と股部被覆域とを有し、これら被覆域によって胴周り開口と一対の脚周り開口とが形成された着用物品における前記前後胴周り被覆域のうちの少なくとも一方の被覆域が、胴周り方向へ弾性的に伸長可能であるとともに、前記一方の被覆域の外側から視認可能な表示要素を有している使い捨ての着用物品において、
前記表示要素がシート片を含むものであり、
前記一方の被覆域が互いに重なり合う第１複合シートと第２複合シートとを含み、前記第１複合シートが、前記一方の被覆域の最外側に位置するものであって、前記一方の被覆域の外面を形成する第１外面とその第１外面の反対面である第１内面とを有し、前記第２複合シートが、前記第１複合シートの前記第１内面の側に位置するものであって、前記第１内面と向かい合う第２外面とその第２外面の反対面である第２内面とを有し、前記第１内面と前記第２外面との間には前記シート片が介在しており、
前記第１、第２複合シートのそれぞれが、三層構造を有していてそれら三層を形成する各層が前記胴周り方向において間欠的に形成されている接合部位において互いに接合しているものであり、エラストマーからなる弾性的に伸長可能な弾性糸の複数が互いに重なり合うことによって形成された第１、第２中間層のそれぞれと、非エラストマーからなる非弾性糸の複数が互いに重なり合い前記接合部位と接合部位との間で前記胴周り方向へ伸展可能な曲線を画いて前記第１、第２中間層それぞれの外側に位置する第１、第２外層のそれぞれと、非エラストマーからなる非弾性糸の複数が互いに重なり合い前記接合部位と接合部位との間で前記胴周り方向へ伸展可能な曲線を画いて前記第１、第２中間層それぞれの内側に位置する第１、第２内層のそれぞれとからなり、前記第１、第２外層のそれぞれが前記第１、第２外面のそれぞれを形成し、前記第１、第２内層のそれぞれが前記第１、第２内面のそれぞれを形成していることを特徴とする前記着用物品。
【請求項２】
前記第１複合シートは、前記第１外層、前記第１中間層、前記第１内層それぞれの坪量が５〜２５ｇ／ｍ２であって、前記第１外層の坪量が前記第１内層の坪量と同じであるかそれよりも大きく、前記第２複合シートは、前記第２外層、第２中間層、第２内層それぞれの坪量が少なくとも５ｇ／ｍ２である請求項１記載の着用物品。
【請求項３】
前記シート片の周縁部外側では、前記第１内層の非弾性糸と前記第２外層の非弾性糸とが絡み合っている請求項１または２記載の着用物品。
【発明の詳細な説明】
【技術分野】
【０００１】
この発明は使い捨ての着用物品、より詳しくは着用物品の外側から視認可能な表示要素を有する前記着用物品に関する。
【背景技術】
【０００２】
使い捨てのおむつや使い捨てのトレーニングパンツ等の使い捨ての着用物品において、前胴周り被覆域や後胴周り被覆域に着用物品の外側から視認可能な表示要素を有するものは周知である。特開２００２−６５７号公報（特許文献１）に開示された吸収性物品では、裏面シートが図柄を印刷したフィルムと、そのフィルムにおける図柄が印刷された面に積層された不織布とからなる。この場合の表示要素である図柄は、不織布を通して視認できるように作られている。
【特許文献１】特開２００２−６５７号公報
【発明の開示】
【発明が解決しようとする課題】
【０００３】
特許文献１は、図柄が鮮明な状態で視認されるには、フィルムに積層された不織布の光線透過率を高くしなければならないと教示している。また、その光線透過率を高くするには、不織布の坪量を小さくすればよいが、そのようにすると裏面シートの風合いや肌触りに問題を生じることがあるから、坪量は２０〜５０ｇ／ｍ２であることが好ましく、厚さは０．５〜３ｍｍであることが好ましいとも教示している。特許文献１のかような吸収性物品では、裏面シートにおける不織布の坪量に上限があり、裏面シートの肌触りを柔軟なものにしようとして不織布の坪量をその上限に近づけるか、またはその上限を超える程度にすると、図柄または絵柄の視認性が犠牲になる。
【０００４】
この発明は、図柄を一例とする表示要素がシート状の繊維集合体によって視認可能に覆われている使い捨て着用物品の改良に係り、その着用物品において、表示要素の視認性を犠牲にすることなく表示要素の周辺における肌触りの柔軟性の向上を課題にしている。
【課題を解決するための手段および発明の効果】
【０００５】
前記課題解決のために、この発明が対象とするのは、前胴周り被覆域と後胴周り被覆域と股部被覆域とを有し、これら被覆域によって胴周り開口と一対の脚周り開口とが形成された着用物品における前記前後胴周り被覆域のうちの少なくとも一方の被覆域が、胴周り方向へ弾性的に伸長可能であるとともに、前記一方の被覆域の外側から視認可能な表示要素を有している使い捨ての着用物品である。
【０００６】
かかる着用物品において、この発明が特徴とするところは、次のとおりである。前記表示要素が、シート片を含むものであり、前記一方の被覆域が互いに重なり合う第１複合シートと第２複合シートとを含む。前記第１複合シートは、前記一方の被覆域の最外側に位置するものであって、前記一方の被覆域の外面を形成する第１外面とその第１外面の反対面である第１内面とを有する。前記第２複合シートは、前記第１複合シートの前記第１内面の側に位置するものであって、前記第１内面と向かい合う第２外面とその第２外面の反対面である第２内面とを有する。前記第１内面と前記第２外面との間には、前記シート片が介在している。前記第１、第２複合シートのそれぞれは、三層構造を有していてそれら三層を形成する各層が前記胴周り方向において間欠的に形成されている接合域において互いに接合しているものであり、エラストマーからなる弾性的に伸長可能な弾性糸の複数が互いに重なり合うことによって形成された第１、第２中間層のそれぞれと、非エラストマーからなる非弾性糸の複数が互いに重なり合い前記接合部位と接合部位との間で前記胴周り方向へ伸展可能な曲線を画いて前記第１、第２中間層それぞれの外側に位置する第１、第２外層のそれぞれと、非エラストマーからなる非弾性糸の複数が互いに重なり合い前記接合部位と接合部位との間で前記胴周り方向へ伸展可能な曲線を画いて前記第１、第２中間層それぞれの内側に位置する第１、第２内層のそれぞれとからなる。前記第１、第２外層のそれぞれは前記第１、第２外面を形成し、前記第１、第２内層のそれぞれは前記第１、第２内面のそれぞれを形成している。
【０００７】
かような発明に係る使い捨ての着用物品では、前後胴周り被覆域の少なくとも一方が第１複合シートと第２複合シートとからなり、これら第１複合シートの第１内層と第２複合シートの第２外層との間に表示要素が介在し、第１複合シートは、その外側からの表示要素の視認が可能であるように作られる。着用物品の胴周り被覆域に胴周り方向への弾性的な伸長性を付与する弾性糸は、第１、第２複合シートの第１中間層と第２中間層とに存在し、胴周り被覆域に柔軟な肌触りを付与する非弾性糸は、第１、第２複合シートの第１外層と第２外層と第１内層と第２内層とに存在している。胴周り被覆域の弾性的な伸長応力を高くしたいときには、第２中間層の坪量を大きくすればよく、胴周り被覆域の肌触りの柔軟性を高くしたいときには、第２外層や第２内層の坪量を大きくすればよい。このように第２中間層や第２外層、第２内層の坪量を大きくすることが可能なこの発明では、その坪量を大きくしても表示要素の視認性を低下させることがない。
【０００８】
この発明の実施態様の一つにおいて、前記第１複合シートは、前記第１外層、前記第１中間層、前記第１内層それぞれの坪量が５〜２５ｇ／ｍ２であって、前記第１外層の坪量が前記第１内層の坪量と同じであるかそれよりも大きく、前記第２複合シートは、前記第２外層、第２中間層、第２内層それぞれの坪量が少なくとも５ｇ／ｍ２である。
【０００９】
かかる態様の着用物品では、第１複合シートに一定量の非弾性糸が使用される場合に、その非弾性糸が第１内層よりも第１外層で多く使用されることで、胴周り被覆域の外面の肌触りが柔軟になる。
【００１０】
この発明の実施態様の他の一つにおいて、前記シート片の周縁部外側では、前記第１内層の非弾性糸と前記第２外層の非弾性糸とが絡み合っている。
【００１１】
かかる態様の着用物品では、第１内層の非弾性糸と第２外層の非弾性糸とが絡み合うことで、第１複合シートと第２複合シートとは、接着や溶着によらずして一体となることが可能で、接着や溶着によって胴周り被覆域における肌触りが硬くなるということがない。
【発明を実施するための最良の形態】
【００１２】
添付の図面を参照して、この発明に係る使い捨ての着用物品の詳細を説明すると、以下のとおりである。
【００１３】
図１に斜視図で示されたパンツ型の使い捨ておむつ１は、使い捨て着用物品の一例であって、図において環状を呈する胴周り部材２と、Ｕ字状を呈する股部部材３とを有する。胴周り部材２は、前胴周り被覆域６と後胴周り被覆域７とを有し、これら両被覆域６，７の側縁部１１，１２どうしが合掌状に重なり合い、図の上下方向へ間欠的に並ぶ接合域１３において互いに接合している。股部部材３は、股部被覆域８と、股部被覆域８の上方に位置する前接合域９ａ（図２参照）と後接合域９ｂとを有し、これら接合域９ａと９ｂとのそれぞれが前胴周り被覆域６の内面と後胴周り被覆域７の内面とに接着剤３７（図３参照）を介して接合している。かようなおむつ１では、前胴周り被覆域６と後胴周り被覆域７とによって胴周り開口１６が形成され、これら両胴周り被覆域６，７と股部被覆域８とによって一対の脚周り開口１７が形成されている。前胴周り被覆域６の外側からは、シート片５１に熊の顔を印刷することにより形成された図柄５２が見える。
【００１４】
図２は、図１におけるおむつ１の前後胴周り被覆域６，７の側縁部１１，１２を接合域１３において剥離して、おむつ１を矢印Ａで示されるおむつ１の前方と、矢印Ｂで示されるおむつ１の後方とに向かって伸展して得られるおむつ１の部分破断平面図である。
【００１５】
図２に示された胴周り部材２における前後胴周り被覆域６，７のそれぞれは、おむつ１が着用されたときに着用者の着衣側に位置する外側複合シート２１と、着用者の肌側に位置する内側複合シート２２とを有する。これら外側複合シート２１と内側複合シート２２とは、胴周り部材２の胴周り方向とそれに直交する上下方向とのうちの少なくとも胴周り方向へ弾性的に伸長可能なものであって、これら複合シート２１，２２の一例は後記の図５に示されている。
【００１６】
図２に示された股部部材３は、ほぼ矩形のものであって、液透過性のトップシート３１と、液不透過性のバックシート３２と、これら両シート３１，３２間に介在する液吸収性のコア３３とを有する。トップシート３１とバックシート３２とは、コア３３の周縁から延出する部分において接着剤（図示せず）を介して互いに接合している。股部部材３の両側縁部３４では、コア３３に沿って図２の上下方向へ延びる脚周り弾性部材３６が接着剤（図示せず）を介してトップシート３１の内面に伸長状態で接合している（図３参照）。
【００１７】
図３は、図１のＩＩＩ−ＩＩＩ線切断面を示す図である。図において環状を呈する胴周り部材２の内側に収まる股部部材３は、前後の接合域９ａ，９ｂそれぞれにおけるバックシート３２が接着剤３７を介して前胴周り被覆域６と後胴周り被覆域７との内側複合シート２２に接合している。股部部材３の内部に位置するコア３３は、粉砕パルプや高吸水性ポリマー粒子等の液吸収性材料３４を液拡散性に優れた透液性のティシューペーパ３５で被覆することによって形成されている。股部部材３におけるトップシート３１の内面には、脚周り弾性部材３６が接合している。前胴周り被覆域６における幅方向の中央域では、外側複合シート２１と内側複合シート２２との間に表示手段５０が介在している。表示手段５０は、後記の図４に示されているようにプラスチックフィルムや紙、不織布、織布等のシート片５１と、シート片５１に熊の顔の図柄を印刷することによって形成された表示要素５２とからなり、表示要素５２を外側複合シート２１に向けて、シート片５１が外側複合シート２１および／または内側複合シート２２に接着または溶着により接合している。
【００１８】
図４は、図３において鎖線ＩＶによって囲まれている部分の拡大図である。前胴周り被覆域６において、外側複合シート２１は、前胴周り被覆域６の外面を形成する第１外面６１と、第１外面６１の反対面である第１内面６２とを有する。内側複合シート２２は第１内面６２と向かい合う第２外面６３と、第２外面６３の反対面であって前胴周り被覆域６の内面を形成している第２内面６４とを有する。外側複合シート２１と内側複合シート２２とは、いずれも三層構造を有するものであって、外側複合シート２１は、第１中間層６６と、第１中間層６６の外側にあって第１外面６１を有する第１外層６７と、第１中間層６６の内側にあって第１内面６２を有する第１内層６８とを含み、これら第１外層６７と第１中間層６６と第１内層６８とが図示の如く順に重なり合い、重なり合うものどうしが胴周り方向において溶着または接着によって間欠的に接合している。内側複合シート２２は、第２中間層７１と、第２中間層７１の外側にあって第２外面６３を有する第２外層７２と、第２中間層７１の内側にあって第２内面６４を有する第２内層７３とを含み、これら第２外層７２と第２中間層７１と第２内層７３とが図示の如く順に重なり合い、重なり合うものどうしが胴周り方向において溶着または接着によって間欠的に接合している。
【００１９】
外側複合シート２１において、第１中間層６６は、エラストマーからなる複数の弾性糸どうしが互いに重なり合い溶着または交絡することによって形成されている。好ましい第１中間層６６は、０．１〜５ｄｔｘの連続繊維（フィラメント）からなる弾性糸の集合体であって、５〜２５ｇ／ｍ２の坪量を有し、胴周り部材２の周り方向とその方向に直交する上下方向とのうちの少なくとも胴周り方向への弾性的な伸長性を有する。その弾性的な伸長性は、外側複合シート２１の胴周り方向の弾性的回復率Ｒが少なくとも８０％となるように調整されている。弾性的回復率Ｒは、外側複合シート２１から切り出された幅１０ｍｍ、長さ７０ｍｍの試片について、両端部１０ｍｍずつを一対のチャックでクランプし、一対のチャック間の寸法をＬ０，Ｌ０を５０％伸長したときの寸法をＬ１とし、寸法Ｌ１で試片を２秒間保持した後にその伸長から解放し、解放してから１０秒後の寸法をＬ２としたときに、下記の式によって求められる。
【数１】
2005253732.tif 000003
【００２０】
外側複合シート２１の第１外層６７と第１内層６８とは、エラストマーとしての挙動を示すことがない非弾性糸の複数が互いに重なり合うことにより形成されている。好ましい第１外層６７と第１内層６８とは、０．０５〜５ｄｔｘの連続繊維（フィラメント）からなる非弾性糸の集合体であって、５〜２５ｇ／ｍ２の坪量を有する。好ましい第１外層６７の坪量は、第１内層６８の坪量と同じであるかそれよりも大きい。
【００２１】
図５は、外側複合シート２１として使用可能なものの一例を示す複合シート８０の斜視図である。複合シート８０は、本願出願人と同一の出願人に係る特開２００１−７９９７２号公報に記載された発明に基づいて得られるもので、弾性的に伸長可能な複数の連続繊維（フィラメント）である弾性糸８５からなる弾性的に伸長可能な中間シート８２が上面と下面とを有し、これら上面と下面とのそれぞれには非弾性的に伸長可能な複数の連続繊維（フィラメント）である非弾性糸８３，８４それぞれの集合体である上層シート８６と下層シート８７とが双頭矢印Ｘ方向とこれに直交する双頭矢印Ｙ方向とに間欠的に形成されている複数の接合部８８において接合している。非弾性糸８３はそれが含まれる接合部８８と接合部８８との間において連続しているものであり、非弾性糸８４もまたそれが含まれる接合部８８と接合部８８との間において連続しているものである。非弾性糸８３どうし、および非弾性糸８４どうしはまた、それらが含まれる接合部８８と接合部８８との間において、互いに分離独立した個々の非弾性糸８３，８４が不規則な曲線を画いている。複合シート８０が例えば双頭矢印Ｙ方向へ伸長して仮想線の複合シート８１となるときには、中間シート８２が弾性的に伸長する一方、上層シート８６と下層シート８７とにおいては、曲線を画いている非弾性糸８３，８４のそれぞれが、それが含まれる接合部８８と接合部８８との間で双頭矢印Ｙ方向へ延びるように向きを変化させ、徐々に直状のものになる。また、伸長した複合シート８１では、中間シート８２が弾性的に収縮可能であり、その中間シート８２が収縮すると、直状に延びた非弾性糸８３，８４が曲線を画くものに戻り、仮想線の複合シート８１が実線の複合シート８０に戻る。接合部８８では、上層シート８６、中間シート８２、下層シート８７が溶着または接着、好ましくは溶着によって一体化している。弾性糸８５には、熱可塑性エラストマーからなる繊維が使用される。非弾性糸８３，８４には、ポリプロプレンやエチレン−プロピレンランダム共重合体、エチレン−プロピレン−ブテンランダム共重合体、ポリエステル、ポリエチレン等からなる繊維が使用される。
【００２２】
かような複合シート８０が外側複合シート２１として使用されるときには、双頭矢印Ｙ方向が胴周り方向となり、中間シート８２が第１中間層６６となり、上層シート８６が第１外層６７となり、下層シート８７が第１内層６８となる。弾性糸８５は第１中間層の弾性糸となり、非弾性糸８３と８４とは第１外層６７と第１内層６８との非弾性糸となる。外側複合シート２１は、図５に接合部８８として例示されている複数の接合部を有し、第１外層６７を形成している非弾性糸と、第１内層６８を形成している非弾性糸とは、接合部と接合部との間で不規則な曲線を画きながら前胴周り被覆域６の周り方向やその方向に直交する上下方向へ延びている。第１外層６７と第１内層６８とは、接合部において第１中間層６６に接合しており、第１中間層６６が胴周り方向や上下方向へ弾性的に伸長すると、第１外層６７と第１内層６８とにおいて曲線を画いている非弾性糸が第１中間層６６の伸長方向へ伸展して次第に直状に近いものに変化する。第１中間層６６が弾性的に収縮したときには、第１外層６７と第１内層６８とでほぼ直状に伸展した非弾性糸が曲線を画くものに戻る。かような非弾性糸からなる第１外層６７と第１内層６８とは、非弾性糸が曲線を画くものから直状のものへと変化する間や直状のものから曲線を画くものへと変化する間に、第１中間層６６の弾性的な伸長や収縮に影響を与えることが少なく、外側複合シート２１は三層からなるものではあっても、第１中間層６６に含まれる弾性糸本来の伸長、収縮特性を示すことができる。
【００２３】
内側複合シート２２において、第２中間層７１は、弾性糸どうしが互いに重なり合い、溶着することによりまたは交絡することにより形成されている。好ましい第２中間層７２は、０．１〜８ｄｔｘの連続繊維（フィラメント）の集合体であって、少なくとも５ｇ／ｍ２の坪量、より好ましくは５〜５０ｇ／ｍ２の坪量を有し、胴周り部材２の周り方向とその方向に直交する上下方向とのうちの少なくとも胴周り方向への弾性的な伸長性を有する。その弾性的な伸長性は、内側複合シート２２の胴周り方向における弾性的回復率Ｒが少なくとも８０％となるように調整されている。弾性的回復率Ｒは、外側複合シート２１の第１中間層６６と同じように測定して得られる値である。
【００２４】
内側複合シート２２の第２外層７２と第２内層７３とは、第１外層６７と第１内層６８と同様に、非弾性糸の複数が互いに重なり合うことにより形成されている。好ましい第２外層７２と第２内層７３とは、０．０５〜５ｄｔｘの連続繊維（フィラメント）からなる非弾性糸の集合体であって、少なくとも５ｇ／ｍ２の坪量、より好ましくは５〜５０ｇ／ｍ２の坪量を有する。
【００２５】
内側複合シート２２にもまた、図５に例示の複合シート８０が使用可能である。複合シート８０がそのように使用されるときには、中間シート８２が第２中間層７１となり、上層シート８６が第２外層７２となり、下層シート８７が第２内層７３となる。弾性糸８５は第２中間層７１の弾性糸となり、非弾性糸８３と８４とは、第２外層７２と第２内層７３との非弾性糸となる。内側複合シート２２は、図５に接合部８８として例示されている複数の接合部を有し、第２外層７２を形成している非弾性糸と第２内層７３を形成している非弾性糸とは、接合部と接合部との間で不規則な曲線を画きながら前胴周り被覆域６の周り方向やその方向に直交する方向へ延びている。第２外層７２と第２内層７３とは第２中間層７１に接合しており、曲線を画いて延びる非弾性糸は、第２中間層７１が胴周り方向や上下方向へ弾性的に伸長すると、第２中間層７１の伸長方向へ伸展して次第に直状に近いものに変化する。第２中間層７１が弾性的に収縮するときには、第２外層７２と第２内層７３とのほぼ直状に延びた非弾性糸が曲線を画くものに戻る。かような非弾性糸からなる第２外層７２と第２内層７３とは、非弾性糸が曲線を画くものから直状のものへと変化する間に、第２中間層７１の弾性的な伸長や収縮に影響を与えることが少なく、第２中間層７１は、それに含まれる弾性糸本来の伸長、収縮特性を示すことができる。
【００２６】
図４において表示手段５０を形成しているもののうちのシート片５１は、外側複合シート２１における第１内層６８と第２外層７２との間にあって、これら両層６８，７２の少なくとも一方に接着または溶着によって接合している。表示手段５０のうちの表示要素５２である図柄には、外側複合シート２１を透しての視認が容易な適宜の色調の印刷インクが使用されている。
【００２７】
かように形成されている前胴周り被覆域６では、外側複合シート２１が表示要素５２の透視を容易にするように、少なくとも６０％の光線透過率を有することが好ましい。そのような値の光線透過率を得るために、外側複合シート２１の坪量は、５０ｇ／ｍ２を超えないことが好ましい。外側複合シート２１において、弾性糸や非弾性糸として短繊維（ステープルファイバー）を使用することは可能である。しかし、短繊維を使用した外側複合シート２１は、多数の繊維末端の存在によって、毛羽の立ち易いものになる。毛羽の多い外側複合シート２１は、表示要素５２がかすんで透視することが難しくなる傾向にある。弾性糸や非弾性糸として連続繊維（フィラメント）を使用すると、表示要素５２がそのようにかすむことを防ぐことができる。外側複合シート２１はまた、第１外層６７と第１内層６８とが、外側複合シート２１に布様の肌触りをもたらすものであることが好ましい。そのために、第１外層６７と第１内層６８との坪量の和が一定であるときには、第１外層６７の坪量を第１内層６８の坪量と同じであるかまたはそれよりも大きくして、おむつ着用者の肌が外側複合シート２１に触れても、その肌に第１中間層６６のゴム質の感触を与えることがないようにすると同時に柔軟な布様の感触を与えられるようにすることが好ましい。内側複合シート２２では、第２中間層７１が第１中間層６６と協働して前胴周り被覆域６に胴周り方向と上下方向のうちの少なくとも胴周り方向への弾性的な伸長性を与える。第２外層７２は、シート片５１の周縁部よりも外側で第１内層６８に接しており、これら両層６８，７２の間では、曲線を画いて延びる非弾性糸どうしが絡み合い、両層６８，７２は実質的な意味で一体となることが可能である。そのように一体となった両層６８，７２は、胴周り方向や上下方向へ一体的に伸展する。かかる両層６８，７２は、溶着や接着によって一体となるものではないから、溶着や接着によって両層６８，７２が硬くなり、肌触りが悪くなるという問題を生じない。また、両層６８，７２は、互いにずれ動くことがなく、一体となってともに身体にフィットすることが可能であり、互いにずれ動いて身体にフィットし難いということがない。第２内層７３は、弾性糸からなる第２中間層７１を覆うことによって、第２中間層７１が持つゴム質の感触が前胴周り被覆域６の内面に現れることを抑え、その内面に布様の肌触りを与えることができる。前胴周り被覆域６において、胴周り方向への弾性的な伸長応力を高くしたいときには、第２中間層７１の坪量を大きくすることが好ましい。また、肌触りの柔軟性を向上させたいときには、第２外層７２や第２内層７３の坪量を大きくすることが好ましい。このようにするならば、坪量を大きくしても表示要素５２の視認性が低下することはない。
【００２８】
この発明において、後胴周り被覆域７は、表示手段５０を含む場合と含まない場合とがあり、表示手段５０を含む場合の後胴周り被覆域７は、図示例の前胴周り被覆域６と同じように形成される。表示手段５０を含まない場合の後胴周り被覆域７は、一枚または重なり合う複数枚の弾性的に伸長可能な不織布やフィルムで形成したり、非弾性的な不織布やフィルムで形成したりすることができる。
【００２９】
この発明はまた、前胴周り被覆域６が表示手段５０を含まず、後胴周り被覆域７が表示手段５０を含む態様で実施することもできる。表示手段５０を含まない場合の前胴周り被覆域６は、胴周り方向への弾性的な伸長性を持たない非弾性的な不織布やフィルムで形成することができる。図示例の表示要素５２は、シート片５１に部分的な印刷を施すことにより形成されているものであるが、そのような表示要素５２に代えて、着色または印刷を施された適宜形状のフィルムや紙等からなるシート片そのものを表示要素５２とすることもできる。
【００３０】
さらにこの発明は、図示例のおむつ１において、環状の胴周り部材２を前胴周り被覆域６と後胴周り被覆域７とに加えて、股部被覆域も有するパンツ形状の胴周り部材に代え、そのような胴周り部材の内側に図示例の股部部材３を取り付けて実施することもできる。かかる胴周り部材ではまた、シート片５１と表示要素５２とからなる表示手段５０のシート片５１を不透液性のプラスチックフィルムで形成するとともに、前胴周り被覆域６から股部被覆域を通って後胴周り被覆域７にまで延びる一連のものにすることができる。そのようなシート片５１を有するおむつ１では、図２，３，４に例示の不透液性バックシート３２を透過性のシート、例えば液透過性のトップシート３１で形成しても、股部部材３からおむつ１の外への体液の漏れをシート片５１によって防ぐことができる。
【００３１】
使い捨てのおむつを例にして説明したこの発明は、使い捨てのトレーニングパンツや失禁患者用の使い捨てのおむつ等の着用物品において実施することができる。
【産業上の利用可能性】
【００３２】
この発明によれば、弾性的に伸長可能で肌触りが柔軟な胴周り被覆域に視認性のよい表示要素を有する使い捨て着用物品の製造が可能になる。
【図面の簡単な説明】
【００３３】
【図１】使い捨ておむつの斜視図。
【図２】前後方向へ伸展してある分解したおむつの部分破断平面図。
【図３】図１のＩＩＩ−ＩＩＩ線切断面を示す図。
【図４】図３の部分拡大図。
【図５】複合シートの一例を示す図。
【符号の説明】
【００３４】
１    使い捨てのおむつ
６    前胴周り被覆域
７    後胴周り被覆域
８    股部被覆域
１６    胴周り開口
１７    脚周り開口
２１    第１複合シート（外側複合シート）
２２    第２複合シート（内側複合シート）
５１    シート片
５２    表示要素
６１    第１外面
６２    第１内面
６３    第２外面
６４    第２内面
６６    第１中間層
６７    第１外層
６８    第１内層
７１    第２中間層
７２    第２外層
７３    第２内層
【図１】
2005253732.tif 000004
【図２】
2005253732.tif 000005
【図３】
2005253732.tif 000006
【図４】
2005253732.tif 000007
【図５】
2005253732.tif 000008